(57)【要約】      （修正有）【課題】情報処理装置を載置することが可能なプレスブレーキを提供すること。【解決手段】プレスブレーキ１は、プレスブレーキ本体２と、操作装置３と、載置台５とを備得ている。プレスブレーキ本体２は、一対のパンチ１３およびダイ１４によってワークＷを曲げ加工する。操作装置３は、プレスブレーキ本体２と連結されプレスブレーキ本体２を操作する。載置台５は、操作装置３の後方側から下方にスライド可能に操作装置３に設けられ、タブレット８を載置可能である。【選択図】図１
2019010667.tif 000002
【特許請求の範囲】
【請求項１】
一対の第１金型および第２金型によってワークを曲げ加工するプレスブレーキ本体と、
前記プレスブレーキ本体と連結され前記プレスブレーキ本体を操作する操作装置と、
前記操作装置の後方側から下方にスライド可能に前記操作装置に設けられ、情報処理装置を載置可能な載置台と、を備えた、
プレスブレーキ。
【請求項２】
前記プレスブレーキ本体と前記操作装置の上面との間を連結する連結部を更に備え、
前記操作装置は、上下方向を軸として前記連結部に対して回転可能に設けられている、
請求項１に記載のプレスブレーキ。
【請求項３】
前記連結部は、前記プレスブレーキ本体に対して前記上下方向を軸として回転可能に連結されている、
請求項２に記載のプレスブレーキ。
【請求項４】
前記操作装置は、前面に表示画面を有し、
前記情報処理装置が前記載置台に配置された状態において、前記操作装置の前記表示画面は、前記情報処理装置の表示画面と上下方向に並んで配置される、
請求項１に記載のプレスブレーキ。
【請求項５】
前記載置台は、前記操作装置の背面に沿うように設けられた第１載置部を有し、
前記第１載置部は、前記情報処理装置が載置された場合に前記情報処理装置の前記表示画面とは反対側の背面が載置される第１載置面を持ち、
前記第１載置面は、下端が上端よりも前方側に配置されるように傾斜して設けられている、
請求項４に記載のプレスブレーキ。
【請求項６】
前記操作装置の背面に固定され、前記載置台をスライド可能に支持する支持部を更に備え、
前記支持部は、
前記操作装置の前記背面と平行な支持面と、
前記操作装置の前記背面の左右方向における端の近傍に、前記端に沿って固定され、前記支持面に対向するガイド面を持つ支持部側ガイド部材と、を有し、
前記載置台は、
前記操作装置の前記背面に沿うように設けられた第１載置部と、
前記第１載置部に固定され、前記第１載置部の前記左右方向における端から外側に突出して設けられた載置部側ガイド部材と、を有し、
前記載置部側ガイド部材は、前記支持面と前記ガイド面の間に摺動可能に配置されている、
請求項１〜４のいずれか１項に記載のプレスブレーキ。
【請求項７】
前記操作装置の背面に固定され、前記載置台をスライド可能に支持する支持部を更に備え、
前記支持部は、
前記載置台を、前記操作装置の前記後方側の第１位置と、前記第１位置から下方にスライドした第２位置で固定する固定部を有する、
請求項１〜４のいずれか１項に記載のプレスブレーキ。
【請求項８】
前記固定部は、
前記背面の左右方向の端近傍において前記左右方向に沿って配置された筒部と、
前記筒部の先端に設けられ、前記左右方向の内側に向けて付勢された嵌合部材と、を有し、
前記載置台は、
前記操作装置の前記背面に沿うように設けられた第１載置部と、
前記第１載置部の前記左右方向における端から前方側に延びるように設けられた側壁と、
前記側壁から前記左右方向の外側に向かって突出した突出部と、
前記突出部より下方であって前記側壁に形成され、前記嵌合部材が嵌合可能な嵌合部と、を更に有し、
前記載置台は、前記嵌合部材が前記嵌合部に嵌合して前記第１位置に固定され、前記突出部が前記筒部に当接して前記第２位置に固定されている、
請求項７に記載のプレスブレーキ。
【発明の詳細な説明】
【技術分野】
【０００１】
本発明は、情報処理装置を載置可能なプレスブレーキに関する。
【背景技術】
【０００２】
従来、板状のワークを挟圧することによりＶ曲げ加工を行う装置としてプレスブレーキが用いられている。プレスブレーキには、上金型（パンチ）と下金型（ダイ）が装着され、パンチとダイの協働により板状のワークが折り曲げられる（例えば、特許文献１参照。）。
上記プレスブレーキを用いて曲げ加工を行う際、作業者は、ワークを所望の形状にするためにプレスブレーキの操作装置に所定の条件を入力する。また、作業の終了後には、曲げ加工条件などを記録することも考えられる。
【先行技術文献】
【特許文献】
【０００３】
【特許文献１】特開２０１２−１５２７８４号公報
【発明の概要】
【発明が解決しようとする課題】
【０００４】
一方、近年の電子化の流れにより、プレスブレーキに入力するデータの確認および作業の記録作業などにタブレット端末を用いるようになることが想定される。
しかしながら、従来のプレスブレーキにはタブレット端末を載置する場所がなく、近くの作業台などに載置するしかない。
本発明は、情報処理装置を載置することが可能なプレスブレーキを提供することを目的とする。
【課題を解決するための手段】
【０００５】
発明のプレスブレーキは、プレスブレーキ本体と、操作装置と、載置台と、を備えている。プレスブレーキ本体は、一対の第１金型および第２金型によってワークを曲げ加工する。操作装置は、プレスブレーキ本体と連結されプレスブレーキ本体を操作する。載置台は、操作装置の後方側から下方にスライド可能に操作装置に設けられ、情報処理装置を載置可能である。
【発明の効果】
【０００６】
本発明によれば、情報処理装置を載置することが可能なプレスブレーキを提供することが出来る。
【図面の簡単な説明】
【０００７】
【図１】本発明にかかる実施の形態におけるプレスブレーキの正面図。
【図２】（ａ）図１の操作装置の斜視図、（ｂ）図２（ａ）の操作装置の正面図、（ｃ）図２（ａ）の操作装置の側面図。
【図３】（ａ）図１の操作装置の載置台を引き出し多状態の斜視図、（ｂ）図３（ａ）の操作装置の正面図、（ｃ）図３（ａ）の操作装置の側面図。
【図４】（ａ）図１の載置台を支持部に収納した状態の操作装置を背面下方から視た斜視図、（ｂ）図４（ａ）から載置台を下方に引き出した状態を示す図。
【図５】（ａ）図１の載置台にタブレットが載置された状態を示す斜視図、（ｂ）図５（ａ）の正面図、（ｃ）図５（ａ）の側面図。
【図６】（ａ）図１の載置台を前側下方から視た斜視図、（ｂ）図１の載置台を後側上方から視た斜視図、（ｃ）図６（ｂ）において矢印Ｗに沿って視たＴ部拡大図。
【図７】図２の支持部の内部構造を示す斜視図。
【図８】図２の操作装置において載置台が支持部に収納された状態を示す平面図。
【図９】図２の操作装置において載置台が支持部から引き出された状態を示す平面図。
【図１０】図９のＧＧ´間の矢示断面図。
【図１１】図１の載置台にタブレットを載置する際の動作を説明するための側面図。
【発明を実施するための形態】
【０００８】
本発明にかかる実施の形態のプレスブレーキについて図面を参照しながら以下に説明する。
＜１．構成＞
（１−１．プレスブレーキの概要）
図１は、本実施の形態のプレスブレーキ１の正面図である。本実施の形態のプレスブレーキ１は、プレスブレーキ本体２と、操作装置３と、連結部４と、載置台５と、支持部６（図２（ｃ）参照）と、を備えている。
【０００９】
プレスブレーキ本体２は、パンチ１３とダイ１４によって板状のワークを曲げ加工する。操作装置３は、プレスブレーキ本体２を用いて曲げ加工する際にデータの入力等を行う。連結部４は、プレスブレーキ本体２と操作装置３とを連結する。載置台５は、操作装置３に設けられており、操作装置３に固定されている支持部６（図２（ｃ）参照）によって下方にスライド可能に支持されている。載置台５にタブレット８が載置される。図１に示すように、タブレット８は、操作装置３の下側に載置されている。
【００１０】
（１−２．プレスブレーキ本体）
プレスブレーキ本体２は、フレーム１０と、固定テーブル１１と、ラム１２と、を備える。
固定テーブル１１は、フレーム１０の下部に固定されており、上面にダイ１４が装着可能である。ラム１２は、フレーム１０の上部に昇降可能に支持されており、下面にパンチ１３が装着可能である。ラム１２が下降してラム１２の下側に配置されている固定テーブル１１に接近し、ダイ１４とパンチ１３の協働によって、板状のワークＷに対して曲げ加工が行われる。
【００１１】
（１−２．連結部）
連結部４は、プレスブレーキ本体２と操作装置３とを連結し、操作装置３とプレスブレーキ本体２とを電気的に接続するケーブルなどを内蔵する。連結部４の第１端４ａは、図１におけるプレスブレーキ本体２の右端に回転可能に連結されている。連結部４は、第１端４ａから水平方向に伸びた水平部４１と、水平部４１の先端から下方に向かって形成された鉛直部４２とを有している。鉛直部４２の下端である第２端４ｂに操作装置３が回転可能に吊下されている。
【００１２】
連結部４は、プレスブレーキ本体２との連結部分である第１端４ａにおいて上下方向の軸Ａを中心に水平方向に回転可能である。
連結部４の第２端４ｂは、操作装置３の上面３ａに取付けられており、操作装置３は、鉛直部４２を軸Ｂとして連結部４に対して回転可能である。
（１−３．操作装置）
図２（ａ）は、操作装置３の斜視図であり、図２（ｂ）は、操作装置３の正面図であり、図２（ｃ）は、操作装置３の側面図である。操作装置３は、箱形状であり、上面３ａに連結部４が連結されている。操作装置３は、前面３ｂの上部に設けられた表示画面３１と、表示画面３１の下方に配置された操作部３２とを有している。表示画面３１がタッチパネルである場合には、表示画面３１は操作部の一部を兼ねている。また、操作装置３の両側面には、把手３３が設けられている。
【００１３】
また図２（ｃ）に示すように、背面３ｃは、下方に向かうに従って前方側に位置するように傾斜して形成されている。背面３ｃの後側には、支持部６が設けられており、支持部６内に載置台５がスライド可能に支持されている。
なお、以下の説明において、前方向とは、図２（ｂ）の操作装置３の正面図において図面手前方向のことであり、後方向とは、図面奥行き方向のことである。また、右方向とは、操作装置３の表示画面３１を正面に見て右方向のことであり、左方向とは、操作装置３の表示画面３１を正面に見て左方向のことである。図２（ａ）および図２（ｂ）において、右方向を矢印Ｒ、左方向を矢印Ｌ、前方を矢印Ｆ、後方を矢印Ｅで示す。
【００１４】
（１−４．載置台および支持部の概要）
図３（ａ）は、載置台５を支持部６から下方に引き出した状態の操作装置３を示す斜視図であり、図３（ｂ）は、図３（ａ）の正面図であり、図３（ｃ）は、図３（ａ）の側面図である。
図２（ｃ）および図３（ｃ）に示すように、支持部６は、操作装置３の背面３ｃに固定されており、載置台５をスライド可能に支持している。載置台５は、図３に示すように、支持部６から下方に引き出される。詳細には、引き出される方向は、背面３ｃと平行であり、下方斜め前方に向かって引き出される（図３（ｃ）の矢印Ｃ参照）。
【００１５】
図４（ａ）は、載置台５を支持部６に収納した状態の操作装置３を背面下方から視た斜視図であり、図４（ｂ）は、図４（ａ）から載置台５を下方に引き出した状態を示す図である。図４（ａ）、（ｂ）に示すように、支持部６は、操作装置３の背面３ｃを覆うように
配置されている。図４（ａ）に示すように、載置台５は支持部６に収納されており、支持部６の下方の開口６１５から下方に引き出される。
【００１６】
（１−４−１．載置台５）
図５（ａ）は、載置台５にタブレット８が載置された状態を示す斜視図であり、図５（ｂ）は、図５（ａ）の正面図であり、図５（ｃ）は、図５（ａ）の側面図である。下方に引き出された載置台５にタブレット８が載置されている。タブレット８は、図５（ａ）に示すように、正面８ａに表示画面８１を有している。また、図５（ｂ）に示すように、タブレット８の表示画面８１は、操作装置３の表示画面３１の下方に配置されている。すなわち、タブレット８の表示画面８１は、操作装置３の表示画面３１と上下方向に並んで配置されている。
【００１７】
図６（ａ）は、載置台５を前側（正面側）下方から視た斜視図であり、図６（ｂ）は、載置台５を後側（背面側）上方から視た斜視図である。
載置台５には、第１載置部５１と、第２載置部５２と、第１対向部５３と、一対の側壁５４と、一対の第２対向部５５と、一対の突出部５６と、一対のスライドガイド５７と、を有する。
【００１８】
第１載置部５１は、四角形の板状であり、図３（ｃ）に示すように、操作装置３の背面３ｃと平行に配置されている。第１載置部５１の前方側の第１載置面５１ａには、図５（ｃ）に示すように、タブレット８の背面８ｂ（表示画面８１と反対側の面）が接触する。第１載置部５１および第１載置面５１ａは、下方に向かうに従って前方に位置するように傾斜して形成されている。言い換えると、第１載置部５１および第１載置面５１ａは、図３（ｃ）に示すように、下端５１ｂが上端５１ｃよりも前方に位置するように傾斜している。これにより、載置台５に載置されたタブレット８の表示画面８１も下側が前方に向かうように傾斜している。
【００１９】
また、第１載置部５１の下部には、図６（ａ）および図６（ｂ）に示すように、貫通孔５１ｄが形成されている。図４（ａ）に示すように、貫通孔５１ｄは、その一部が支持部６からと露出しているため、作業者は、貫通孔５１ｄの縁に指を書けることによって載置台５を下方に引き出しやすい。
第２載置部５２は、四角形の板状であり、第１載置部５１の下端５１ｂから前方に向かって延びるように設けられている。第２載置部５２には、図５（ｃ）に示すように、タブレット８の底面８ｃが載置される。第２載置部５２の上面５２ａがタブレット８の底面８ｃと接触する。
【００２０】
第１対向部５３は、四角形の板状であり、第２載置部５２から上方に向かって延びるように設けられている。第１対向部５３は、第１載置部５１と平行に形成されている。第１対向部５３は、図５（ｃ）に示すように、タブレット８の載置台５からの落下を防止するために、載置台５に載置された状態のタブレット８の正面８ａに対向して配置されている。
【００２１】
側壁５４は、四角形の板状であり、第１載置部５１の左右端の各々から前方に向かって延びるように設けられている。側壁５４は、第１載置部５１の端の上下方向の略中央から上端まで形成されている。側壁５４の下端近傍の外側面には、図５（ｃ）に示すように、凹部５４１が形成されている。図５（ｃ）は、図５（ｂ）の矢印Ｗに沿って視た場合におけるＴ部拡大図である。この凹部５４１は、詳しくは後述するが、載置台５を上方の収納位置Ｐ１で位置決めするために用いられる。なお、凹部５４１は、側面に形成された貫通孔であってもよい。
【００２２】
第２対向部５５は、各々の側壁５４の下端部から左右方向の内側に向かって延びるように設けられている。第２対向部５５は、第１載置部５１と平行に設けられている。一対の第２対向部５５は、図５（ｂ）に示すように、タブレット８の載置台５からの落下を防止するために、載置台５に載置された状態のタブレット８の正面８ａに対向して配置されている。すなわち、第２対向部５５がタブレット８の正面８ａの上部に対向し、第１対向部５３が、タブレット８の正面８ａの下部に対向して配置されることによってタブレット８の落下が防止されている。
【００２３】
突出部５６は、四角形の板状であり、各々の側壁５４の上端から左右方向における外側に向かって突出して設けられている。詳しくは後述するが、突出部５６は、載置台５を下方の引き出し位置Ｐ２で位置決めするために用いられる。
スライドガイド５７は、直方体形状の部材であり、図６（ｂ）に示すように、第１載置部５１の背面５１ｅに固定されている。詳細には、スライドガイド５７は、第１載置部５１の略中央から上端５１ｃまで左右それぞれの端に沿って設けられている。各々のスライドガイド５７は、その一部が第２載置部５２から外側に突出している。
【００２４】
（１−４−２．支持部６）
図７は、支持部６の内部構造を示す透視斜視図である。図７には、操作装置３の外形が二点鎖線で示されている。支持部６は、支持カバー６１と、一対の取付ブラケット６２と、一対のプランジャ６３と、一対のスペーサ６４と、を有する。
支持カバー６１は、操作装置３の背面３ｃを覆うように背面３ｃに固定されており、背面３ｃとの間に載置台５を収納する収納空間Ｓを形成する。支持カバー６１は、背面３ｃと平行に所定の間隔を空けて配置された板状の第１カバー部６１１と、収納空間Ｓの上方を覆う板状の第２カバー部６１２と、収納空間Ｓの左右を覆う板状の第３カバー部６１３と板状の第４カバー部６１４とを有する。また、支持カバー６１の下側は開口６１５が設けられており、開口６１５から収納空間Ｓに載置台５が出入りする。
【００２５】
第１カバー部６１１の下端は上方に凸に湾曲して形成されている。これにより、第１載置部５１の貫通孔５１ｄの一部が支持カバー６１から露出している。
取付ブラケット６２は、上下方向に長いＵ字形状の部材であって、背面３ｃの左右方向の両端近傍に、端に沿って上下方向に設けられている。取付ブラケット６２は、固定部６２１と、立設部６２２と、スライド面形成部６２３とを有する。
【００２６】
固定部６２１は、背面３ｃに固定されている。立設部６２２は、固定部６２１の左右方向における外側の端から後方に向かって延びるように設けられている。立設部６２２は、背面３ｃに対して略垂直になるように形成されている。スライド面形成部６２３は、立設部６２２の先端から内側に向かって形成されている。スライド面形成部６２３は、固定部６２１と略平行に設けられている。スライド面形成部６２３の後方側の面の一部が、スライド面６２３ａを構成する。
【００２７】
プランジャ６３は、図７に示すように、取付ブラケット６２の上下方向における中央近傍に取り付けられている。プランジャ６３は、左右方向に配置された筒部６３１と、筒部６３１の左右方向における内側の先端に設けられたボール状の嵌合部材６３２とを有する。嵌合部材６３２は、筒部６３１の内部に配置されたバネ部材によって内側に向かって付勢されている。
【００２８】
スペーサ６４は、直方体形状の部材であり、取付ブラケット６２に沿って、スライド面形成部６２３と第１カバー部６１１との間に配置されている。スペーサ６４は、スライド面形成部６２３に固定されているが、第１カバー部６１１に固定されていてもよい。スペーサ６４は、スライド面形成部６２３の左右方向における内側部分を空けて配置されており、このスライド面形成部６２３の内側部分の第１カバー部６１１に対向する面が、載置台５のスライドガイド５７と摺動するスライド面６２３ａを構成する。
【００２９】
（１−４−３．載置台と支持部の組み合わせた構成）
次に、載置台５と支持部６の組み合わせた構成について説明する。
図８（ａ）は、載置台５と支持部６を組み合わせた状態を示す図である。図８（ａ）に示す状態では、載置台５は支持部６に収納されている。図９（ａ）は、支持部６から載置台５を引き出した状態を示す図である。図１０は、図９（ａ）のＧＧ´間の矢示断面図である。
【００３０】
図１０に示すように、載置台５のうち第１載置部５１、第２載置部５２、第１対向部５３、一対の側壁５４、一対の第２対向部５５、および一対の突出部５６は、一対の取付ブラケット６２の間に配置されている。また、一対の突出部５６は、載置台５がスライド移動する際、取付ブラケット６２の固定部６２１とスライド面形成部６２３の間を移動する。また、突出部５６はプランジャ６３の上方に配置されており、載置台５が下方に移動すると、突出部５６はプランジャ６３に当接する。
【００３１】
また、載置台５のスライドガイド５７が、スライド面６２３ａと第１カバー部６１１の背面３ｃ側の支持面６１１ａの間に配置されている。スライドガイド５７は、スペーサ６４の左右方向における内側に配置されている。載置台５が支持部６に対してスライドする際、スライドガイド５７はスライド面６２３ａおよび支持面６１１ａと摺動しながら移動する。
【００３２】
（１−４−４．載置台の固定）
次に、載置台５の位置決めについて説明する。
載置台５は、図８（ａ）に示すような支持部６に収納された収納位置Ｐ１と、図９（ａ）に示すような下方に引き出された引き出し位置Ｐ２の２つの位置で固定される。
図８（ａ）に示す収納位置Ｐ１では、図８（ａ）のＨ部の拡大断面図である図８（ｂ）に示すように、プランジャ６３の嵌合部材６３２が側壁５４の外側面に形成された凹部５４１に嵌合している。左右一対のプランジャ６３の嵌合部材６３２が、左右一対の側壁５４の凹部５４１に嵌合することによって、載置台５は、収納位置Ｐ１において位置決め固定されている。
【００３３】
また、図９（ａ）に示すように、載置台５が下方に引き出された引き出し位置Ｐ２では、図９（ａ）のＪ部の拡大断面図である図９（ｂ）に示すように、突出部５６がプランジャ６３の筒部６３１に上方から当接している。左右一対のプランジャ６３の筒部６３１に、左右一対の突出部５６が上方から当接することによって、これ以上、載置台５は下方に移動できないため、載置台５は引き出し位置Ｐ２で固定される。
【００３４】
＜２．動作＞
載置台５が支持部６に収納されている状態（収納位置Ｐ１に配置されている状態）から、作業者が貫通孔５１ｄの縁に指をかけて下方に力を加える。すると、図８（ｂ）に示すように凹部５４１に嵌っている嵌合部材６３２が、凹部５４１の下方への移動に伴って付勢力に対抗して外側へと移動し、図８（ｃ）に示すように凹部５４１から外れる。これにより、収納位置Ｐ１における位置決めが解除されて載置台５は下方にスライド移動できる。
【００３５】
そして、載置台５の下方への移動とともに突出部５６も下方に移動し、図９（ｂ）に示すように、突出部５６が支持部６のプランジャ６３に当接すると載置台５の移動は停止する。これにより、載置台５は引き出し位置Ｐ２において停止する。
このように載置台５は引き出された状態において、タブレット８が載置台５に載置される。図１１は、タブレット８を載置台５に載置する際の動作を示す図である。
【００３６】
図１１に示すように、タブレット８の上端８ｄを第２対向部５５と第１載置部５１の間に下側から上方（矢印Ｋ参照）に向けて挿入する。その後、タブレット８を下方（矢印Ｍ参照）に移動させて、タブレット８の下端８ｅを第１対向部５３と第１載置部５１の間に挿入する。
これにより、図５（ａ）〜図５（ｃ）に示すように、タブレット８が載置台５に載置される。
【００３７】
なお、載置台５を引き出し位置Ｐ２から収納する際には、作業者が載置台５を上方に持ち上げ、載置台５の凹部５４１にプランジャ６３の嵌合部材６３２が嵌ることによって載置台５は収納位置Ｐ１において保持される。
なお、タブレット８を載置した状態のまま、載置台５を上方に引き上げて支持部６に収納することができる。
【００３８】
＜３．特徴＞
（３−１）
本実施の形態のプレスブレーキ１は、プレスブレーキ本体２と、操作装置３と、載置台５とを備えている。プレスブレーキ本体２は、一対のパンチ１３（第１金型の一例）およびダイ１４（第２金型の一例）によってワークＷを曲げ加工する。操作装置３は、プレスブレーキ本体２と連結されプレスブレーキ本体２を操作する。載置台５は、操作装置３の後方側から下方にスライド可能に操作装置３に設けられ、タブレット８（情報処理装置の一例）を載置可能である。
【００３９】
このように、操作装置３の後側から下方に引き出すことが可能に、タブレット８の載置台５が設けられている。このため、プレスブレーキ１にタブレット８を載置することができ、作業台などに置く必要がない。
また、作業中にタブレット８に保存されているデータを確認するため作業台に行く必要がなくなり、スムーズに作業を行うことができる。
【００４０】
（３−２）
上記実施の形態のプレスブレーキ１は、連結部４を更に備える。連結部４は、プレスブレーキ本体２と操作装置３の上面３ａとの間を連結する。
このように下方に載置台５をスライド可能とすることによって、上下方向を軸Ｂとして操作装置３を回転させやすい。例えば、載置台５を左右方向にスライド可能に構成した場合、回転する際に必要な半径は操作装置３と載置台５の幅分必要となり操作装置３を回転させ難くなるが、上下方向にスライド可能に構成することによって回転に必要な半径は操作装置３の半径だけであるため回転させやすい。
【００４１】
（３−３）
上記実施の形態のプレスブレーキ１では、連結部４は、プレスブレーキ本体２に対して上下方向を軸Ａとして回転可能に連結されている。
このように、連結部４も上下方向を軸Ａとして回転するため、操作装置３を上下方向にスライドさせることによって、載置台５に考慮せず連結部４および操作装置３を回転させることができる。
【００４２】
（３−４）
上記実施の形態のプレスブレーキ１では、操作装置３は、前面３ｂに表示画面３１を有する。タブレット８（情報処理装置の一例）が載置台５に配置された状態において、操作装置３の表示画面３１は、タブレット８の表示画面８１と上下方向に並んで配置される。
これにより、作業者は、プレスブレーキ本体２と接続されている操作装置３の表示画面３１と、タブレット８の表示画面８１を同時に確認することができる。
【００４３】
（３−５）
上記実施の形態のプレスブレーキ１では、載置台５は、第１載置部５１を有する。第１載置部５１は、操作装置３の背面３ｃに沿うように設けられている。第１載置部５１は、第１載置面５１ａを持つ。第１載置面５１ａは、タブレット８（情報処理装置の一例）が載置された場合にタブレット８の表示画面８１とは反対側の背面８ｂが載置される。第１載置面５１ａは、図３（ｃ）に示すように、下端５１ｂが上端５１ｃよりも前方側に配置されるように傾斜して設けられている、
このように第１載置面５１ａが傾斜しているため、載置台５にタブレット８を載置すると、タブレット８の表示画面８１も傾斜することになる。表示画面８１が完全に上下方向と平行に配置されると作業者が表示画面８１を視認し難いが、表示画面８１を傾斜させて載置することにより、作業者がタブレット８の表示画面８１を視認しやすくなる。
【００４４】
（３−６）
上記実施の形態のプレスブレーキ１は、支持部６を更に備えている。支持部６は、操作装置３の背面３ｃに固定され、載置台５をスライド可能に支持する。支持部６は、支持面６１１ａと、取付ブラケット６２（支持部側ガイド部材の一例）と、を有する。支持面６１１ａは、操作装置３の背面３ｃと平行である。取付ブラケット６２は、図７に示すように、操作装置３の背面３ｃの左右方向における端３ｄ、３ｅの近傍に、端３ｄ、３ｅ沿って固定され、支持面６１１ａに対向するスライド面６２３ａを持つ。載置台５は、第１載置部５１と、スライドガイド５７（載置部側ガイド部材の一例）と、を有する。第１載置部５１は、操作装置３の背面３ｃに沿うように設けられている。スライドガイド５７は、第１載置部５１に固定され、第１載置部５１の左右方向における端から外側に突出して設けられている。スライドガイド５７は、支持面６１１ａとスライド面６２３ａの間に摺動可能に配置されている。
【００４５】
このように、スライドガイド５７が、支持面６１１ａとスライド面６２３ａに摺動することにより、操作装置３に対して載置台５がスライドできる。
（３−７）
上記実施の形態のプレスブレーキ１は、支持部６を更に備えている。支持部６は、操作装置３の背面３ｃに固定され、載置台５をスライド可能に支持する。支持部６は、プランジャ６３（固定部の一例）を有する。プランジャ６３は、載置台５を、操作装置３の後方側の収納位置Ｐ１（第１位置の一例）と、収納位置Ｐ１から下方にスライドした引き出し位置Ｐ２（第２位置の一例）で固定する。
【００４６】
これにより、操作装置３の背面３ｃの後方側の収納位置Ｐ１と、操作装置３の下方の引き出し位置Ｐ２で載置台５を位置決めすることができる。
（３−８）
上記実施の形態のプレスブレーキ１では、プランジャ６３（固定部の一例）は、筒部６３１と、嵌合部材６３２とを有する。筒部６３１は、背面３ｃの左右方向の端近傍において左右方向に沿って配置されている。嵌合部材６３２は、筒部６３１の先端に設けられ、左右方向における内側に向けて付勢されている。載置台５は、第１載置部５１と、側壁５４と、突出部５６と、凹部５４１（嵌合部の一例）と、を更に有する。第１載置部５１は、操作装置３の背面３ｃに沿うように設けられている。側壁５４は、第１載置部５１の左右方向における端から前方側に延びるように設けられている、突出部５６は、側壁５４から左右方向の外側に向かって突出している。凹部５４１は、突出部５６より下方であって側壁５４に形成され、嵌合部材６３２が嵌合可能である。載置台５は、嵌合部材６３２が凹部５４１に嵌合して収納位置Ｐ１（第１位置の一例）に固定され、突出部５６が筒部６３１に当接して引き出し位置Ｐ２（第２位置の一例）に固定されている。
【００４７】
このようにプランジャ６３によって、操作装置３の背面３ｃの後方側の収納位置Ｐ１と、操作装置３の下方の引き出し位置Ｐ２で載置台５を位置決めすることができる。
＜４．他の実施の形態＞
以上、本発明の一実施形態について説明したが、本発明は上記実施形態に限定されるものではなく、発明の要旨を逸脱しない範囲で種々の変更が可能である。
【００４８】
（Ａ）
上記実施の形態では、情報処理装置の一例としてタブレット８を用いて説明しているが、タブレット８に限らなくても良く、モバイルパソコン等であってもよい。また、タブレット８は、プレスブレーキ１と無線等によって通信可能であってもよい。
（Ｂ）
上記実施の形態では、突出部５６がプランジャ６３に上方から当接することによって、載置台５の引き出し位置Ｐ２での位置決めが行われているが、収納位置Ｐ１と同様に、側壁５４の上端近傍に凹部が形成されており、嵌合部材６３２が凹部に嵌ることによって位置決めが行われてもよい。
【００４９】
（Ｃ）
上記実施の形態では、収納位置Ｐ１において載置台５の全体が操作装置３の背面３ｃの後方側に位置するが、載置台５の下方部分が背面よりも下方にはみ出していても良い。
（Ｄ）
上記実施の形態では、スライドガイド５７がスライド面６２３ａと支持面６１１ａに挟まれてスライドすることによって載置台５が支持部６に対してスライドしているが、このような構成に限らなくても良い。例えば、スライダーレールなどで載置台５が支持部６から引き出し可能に構成されていてもよい。
【００５０】
（Ｅ）
上記実施の形態では、下金型を固定式とし上金型を駆動式とする上金型駆動式のプレスブレーキ１（所謂オーバードライブ式）について説明したが、上金型を固定式として下金型を駆動式とする所謂アンダードライブ式のプレスブレーキにも適用できる。
【産業上の利用可能性】
【００５１】
本発明のプレスブレーキは、現場で動作プログラムの作成を行うことができ且つ稼働率の向上を図ることが可能であり、板材の曲げ加工に広く適用できる。
【符号の説明】
【００５２】
１        ：プレスブレーキ
２        ：プレスブレーキ本体
３        ：操作装置
５        ：載置台
８        ：タブレット
１３      ：パンチ
１４      ：ダイ
Ｗ        ：ワーク
【図１】
2019010667.tif 000003
【図２】
2019010667.tif 000004
【図３】
2019010667.tif 000005
【図４】
2019010667.tif 000006
【図５】
2019010667.tif 000007
【図６】
2019010667.tif 000008
【図７】
2019010667.tif 000009
【図８】
2019010667.tif 000010
【図９】
2019010667.tif 000011
【図１０】
2019010667.tif 000012
【図１１】
2019010667.tif 000013